(57)【特許請求の範囲】
【請求項１】
電球と照明器具の電球用ソケットとの間に介装されるアダプタであって、
前記電球用ソケットに取り付けるための口金部と、前記電球を取り付けるためのソケット部と、前記口金部およびソケット部を電気的に接続し、かつ、外部から調光用の制御情報を受信するための受信手段と前記制御情報に基づいて前記電球の調光制御を行う調光制御手段を備えた電装基板が内蔵されたケース本体とを備えたものにおいて、
前記口金部は、そのホット側の金具が前記口金部を貫通して前記ケース本体に固定的に取り付けられるとともに、そのコールド側の金具が前記ホット側の金具とは独立して前記ケース本体に回転可能に取り付けられており、
前記コールド側の金具は、前記ホット側の金具を回転軸として前記ケース本体に回転可能に保持された回転体に装着され、その外周に前記電球用のソケットに装着するためのネジ山が形成されるとともに一端に内向きのフランジ部が形成された略円筒状の金属製部材で構成され、
前記回転体にはこのコールド側の金具の他端を嵌合させるためのボス部が形成され、
前記回転体へのコールド側の金具の取り付けが、前記ボス部に前記コールド側の金具の他端を嵌合させた状態で、前記内向きのフランジ部の外側に該フランジ部の略全域を覆う補強金具を当接し、この補強金具とともに前記フランジ部が前記回転体のボス部に装着固定されていることを特徴とする調光用アダプタ装置。
【請求項２】
前記回転体は、前記ケース本体の回転体嵌合部に収容されてなり、
前記回転体の外周縁または前記ケース本体の回転体嵌合部の内周縁の何れか一方に凹凸部が形成されるとともに、他方に前記凹凸部と弾発係合する爪部が形成され、前記凹凸部の凹部に前記爪部を係合させることにより、前記ケース本体と前記回転体の相対的な位置の位置決めが可能に構成されていることを特徴とする請求項１に記載の調光用アダプタ装置。
【請求項３】
前記ケース本体の回転体嵌合部内に、前記回転体に臨んで回転ストッパが突出形成されるとともに、前記回転体側には前記回転ストッパと同心位置に回転規制突起が突出形成されてなり、前記ケース本体に対する前記回転体の回転範囲が前記回転ストッパと回転規制突起とによって設定されていることを特徴とする請求項１または２に記載の調光用アダプタ装置。
【請求項４】
前記ホット側の金具は、軸部と頭部とからなる部材で構成され、その軸部の先端にネジ山が形成されるとともに、このネジ山が前記ケース本体の所定位置に設けられた導電性を有するナット体に螺合されることによって、前記電装基板および前記コールド側の金具が装着された前記回転体が、前記ナット体と前記ホット側の金具の頭部との間に保持されていることを特徴とする請求項１から３のいずれかに記載の調光用アダプタ装置。
【請求項５】
前記電装基板が、前記ケース本体と一体回転するようにケース本体内に固定されるとともに、この電装基板に導電性を有するナット体が取り付けられ、
前記ホット側の金具が、先端にネジ山が形成された軸部と頭部とからなる部材で構成され、その軸部先端のネジ山が前記電装基板上に設けられたナット体に螺合されることによって、前記ナット体と前記ホット側の金具の頭部との間に前記コールド側の金具が装着された前記回転体が保持されることを特徴とする請求項１から３のいずれかに記載の調光用アダプタ装置。
【請求項６】
前記ホット側の金具の軸部の外周が絶縁性の部材で被覆されていることを特徴とする請求項４または５に記載の調光用アダプタ装置。
【請求項７】
前記ホット側の金具の軸部を被覆する絶縁性の部材は、前記ホット側の金具の軸部を挿通可能な鞘管部と、その鞘管部の一端から外側に張り出した鍔部とで構成された一体成形品とされ、前記鞘管部で前記ホット側金具の軸部を被覆絶縁するとともに、前記鍔部が前記ホット側の金具の頭部とコールド側の金具とを絶縁するように構成されていることを特徴とする請求項６に記載の調光用アダプタ装置。
【請求項８】
前記コールド側の金具と前記電装基板とを接続する電装線が前記鞘管部に巻装されていることを特徴とする請求項７に記載の調光用アダプタ装置。
【発明の詳細な説明】
【技術分野】
【０００１】
この発明は調光用アダプタ装置に関し、より詳細には、浴室壁面等に設けられた室内照明用の電球用ソケットに装着することによって一般照明を調光照明に変更するアダプタ装置の構造に関する。
【背景技術】
【０００２】
従来、浴室等においてリラックスした雰囲気を楽しむためのものとして、一般にヒーリングライトと称される照明装置が提案されている。この種のヒーリングライトは、１又は複数の発光体（たとえば、発光ダイオード）を備えた小型かつ可搬型の照明装置で構成され、上記発光体が発する光の色や明るさを変化させてリラックスした雰囲気を演出するものであるが、その雰囲気を楽しむためには、ヒーリングライトの照明が際立つように周囲の照明（白熱電球や蛍光灯による室内照明）を暗くするのが好ましい。
【０００３】
ところが、たとえば、浴室でこのヒーリングライトを使用する場合、浴室の室内照明の操作スイッチは、通常、浴室に隣接する脱衣室に設けられているため、ヒーリングライトを使用するにはその都度脱衣室まで操作しに行かねばならず面倒であった。また、通常、浴室の照明には光量の調節が可能な調光照明は用いられていないため、上記操作スイッチをオフにして照明を切ると、浴室内が暗くなり過ぎるという問題もあった。
【０００４】
そのため、浴室でヒーリングライトを十分に楽しむためには、浴室の照明にも光量の調節が可能で、しかも浴室から出ることなく（好ましくは、浴槽につかったままの状態で）光量の調節ができる照明器具を用いるのが好ましい。下記の特許文献１は、このような要請を満たす照明器具の一例を示している。
【０００５】
【特許文献１】特開平１０−３９６２号公報
【発明の開示】
【発明が解決しようとする課題】
【０００６】
しかしながら、上記特許文献１に示す照明器具では、以下のような問題があり、その改善が望まれていた。
【０００７】
すなわち、特許文献１に示す器具は、照明を設置する天井面や壁面に据え付けられる照明器具取付用コンセントに、ワイヤレスリモコンからの信号を受信する信号受信部と、同信号を処理して照明器具を制御する制御部とを一体に設けたものであるが、このように信号受信部と制御部とをコンセントに一体に設ける構成では、これを浴室にある既設の照明器具に適用するには、既設のコンセントを上記コンセントに取り替える工事が必要となり、不経済であった。
【課題を解決するための手段】
【０００８】
このような問題を解決するために、出願人は、照明器具の取り替え工事を必要とすることなく、既存の照明器具を簡単な作業で遠隔操作可能な調光照明に変更できる調光用アダプタ装置として、電球と照明器具の電球用ソケットとの間に介装されるアダプタであって、上記電球用ソケットに取り付けるための口金部と、上記電球を取り付けるためのソケット部と、上記口金部およびソケット部を電気的に接続し、かつ、外部から調光用の制御情報を受信するための受信手段と受信した制御情報に基づいて上記電球の調光制御を行う調光制御手段を備えた電装基板が内蔵されたケース本体とからなる調光用アダプタ装置を案出するに至った。
【０００９】
本発明はこのような調光用アダプタ装置において、該装置を電球用ソケットに装着した後に、該ソケットへの装着を緩めることなく、受信手段の位置調節等の操作ができるようにすることを主たる目的とする。
【００１０】
上記目的を達成するため、本発明の請求項１に記載された調光用アダプタ装置は、電球と照明器具の電球用ソケットとの間に介装されるアダプタであって、上記電球用ソケットに取り付けるための口金部と、上記電球を取り付けるためのソケット部と、上記口金部およびソケット部を電気的に接続し、かつ、外部から調光用の制御情報を受信するための受信手段と上記制御情報に基づいて上記電球の調光制御を行う調光制御手段を備えた電装基板が内蔵されたケース本体とを備えたものにおいて、上記口金部は、そのホット側の金具が上記口金部を貫通して上記ケース本体に固定的に取り付けられるとともに、そのコールド側の金具が上記ホット側の金具とは独立して上記ケース本体に回転可能に取り付けられており、上記コールド側の金具は、上記ホット側の金具を回転軸として上記ケース本体に回転可能に保持された回転体に装着され、その外周に上記電球用のソケットに装着するためのネジ山が形成されるとともに一端に内向きのフランジ部が形成された略円筒状の金属製部材で構成され、上記回転体にはこのコールド側の金具の他端を嵌合させるためのボス部が形成され、上記回転体へのコールド側の金具の取り付けが、上記ボス部に上記コールド側の金具の他端を嵌合させた状態で、上記内向きのフランジ部の外側に該フランジ部の略全域を覆う補強金具を当接し、この補強金具とともに上記フランジ部が上記回転体のボス部に装着固定されていることを特徴とする。
【００１１】
すなわち、請求項１に記載の発明では、口金部のホット側の金具が口金部を貫通してケース本体に固定的に取り付けられるとともに、そのコールド側の金具がホット側の金具とは独立してケース本体に回転可能に取り付けられていることから、口金部を照明器具の電球用ソケットに装着した後において、口金部と電球用ソケットの結合状態を緩めることなく維持しつつ（換言すれば、電球用ソケットと口金部のホット側およびコールド側双方の金具の電気的接続を維持しつつ）、ケース本体のみを回転操作することができる。
【００１２】
したがって、本発明によれば、調光用アダプタ装置を照明器具の電球用ソケットに装着した後に、ケース本体を回転操作することで、ケース本体に内蔵された電装基板の位置を調整することができる。
【００１４】
また、ホット側の金具を回転軸として上記ケース本体に回転可能に保持された回転体にコールド側の金具を装着することにより、ホット側の金具を軸としてコールド側の金具を回転可能に保持することができるので、コールド側の金具の位置を固定した状態でケース本体を回転操作させても、コールド側の金具とホット側の金具との見かけ上の位置関係は変動しない。そのため、照明器具の電球用ソケットに装着された調光用アダプタ装置のケース本体のみを回転操作することができる。
【００１６】
さらに、本発明では、上記回転体へのコールド側の金具の取り付けに際し、コールド側の金具に形成された内向きのフランジ部の略全域を補強金具で補強することから、回転体とコールド側の金具との結合が強固となり、コールド側の金具が回転体から浮き上がるのを予防することができる。
【００１７】
本発明の請求項２に記載された調光用アダプタ装置は、請求項１に記載された発明において、上記回転体は、上記ケース本体の回転体嵌合部に収容されてなり、上記回転体の外周縁または上記ケース本体の回転体嵌合部の内周縁の何れか一方に凹凸部が形成されるとともに、他方に上記凹凸部と弾発係合する爪部が形成され、上記凹凸部の凹部に上記爪部を係合させることにより、上記ケース本体と上記回転体の相対的な位置の位置決めが可能に構成されていることを特徴とする。
【００１８】
このように、本発明では、凹凸部に爪部が弾発係合することによって、上記ケース本体と上記回転体の相対的な位置の位置決めが可能とされていることから、電球用ソケットへの装着後に位置調節されたケース本体が勝手に回転することがなく、ケース本体の位置を常に所望の位置に保持させることができる。
【００１９】
本発明の請求項３に記載された調光用アダプタ装置は、請求項１または２に記載の発明において、上記ケース本体の回転体嵌合部内に、上記回転体に臨んで回転ストッパが突出形成されるとともに、上記回転体側には上記回転ストッパと同心位置に回転規制突起が突出形成されてなり、上記ケース本体に対する上記回転体の回転範囲が上記回転ストッパと回転規制突起とによって設定されていることを特徴とする。
【００２０】
本発明によれば、回転ストッパと回転規制突起とによって上記回転体の回転範囲が規制されることから、ケース本体を回転操作する際に与えられた力を口金部に伝えることができる一方で、回転範囲が制限されていることによって、口金部と電装基板とを接続する電装線に過度のストレス（無理に引っ張る力）がかかるのを防止することができ、それに伴って、電装線の長さを短くすることができる。
【００２１】
本発明の請求項４に記載された調光用アダプタ装置は、請求項１から３のいずれかに記載された発明において、上記ホット側の金具は、軸部と頭部とからなる部材で構成され、その軸部の先端にネジ山が形成されるとともに、このネジ山が上記ケース本体の所定位置に設けられた導電性を有するナット体に螺合されることによって、上記電装基板および上記コールド側の金具が装着された上記回転体が、上記ナット体と上記ホット側の金具の頭部との間に保持されていることを特徴とする。
【００２２】
本発明によれば、ホット側の金具のケース本体への取り付けが、ケース本体側に設けられたナット体へのねじ込みにより行われるので、ホット側金具の装着が容易に行うことができる。また、このナット体とホット側の金具の頭部との間に上記電装基板および回転体が保持される構造とされているので、これらのケース本体への組み付け作業を容易に行うことができる。しかも、上記ナット体を導電性を有する部材で構成しているので、ホット側の金具と電装基板との電気的接続をこのナット体を介して行うことができる。したがって、電装基板について、このナット体と接触する部位に予めホット側の配線をプリント等しておくことによりホット側の電装線を省略することができ、配線接続作業を簡略化できる。
【００２３】
本発明の請求項５に記載された調光用アダプタ装置は、請求項１から３のいずれかに記載の発明において、上記電装基板が、上記ケース本体と一体回転するようにケース本体内に固定されるとともに、この電装基板に導電性を有するナット体が取り付けられ、上記ホット側の金具が、先端にネジ山が形成された軸部と頭部とからなる部材で構成され、その軸部先端のネジ山が上記電装基板上に設けられたナット体に螺合されることによって、上記ナット体と上記ホット側の金具の頭部との間に上記コールド側の金具が装着された上記回転体が保持されることを特徴とする。
【００２４】
この発明は、請求項４に記載の発明の改変例であって、本発明によれば、ホット側の金具のケース本体への取り付けが、ケース本体に固定された電装基板上に設けられたナット体へのねじ込みにより行われるので、ホット側金具の装着が容易に行うことができる。また、このナット体とホット側の金具の頭部との間に上記回転体が保持される構造とされているので、回転体のケース本体への組み付け作業を容易に行うことができる。しかも、上記ナット体を導電性を有する部材で構成しているので、ホット側の金具と電装基板との電気的接続をこのナット体を介して行うことができる。したがって、電装基板について、このナット体と接触する部位に予めホット側の配線をプリント等しておくことによりホット側の電装線を省略することができ、配線接続作業を簡略化できる。
【００２５】
本発明の請求項６に記載された調光用アダプタ装置は、請求項４または５に記載された発明において、上記ホット側の金具の軸部の外周が絶縁性の部材で被覆されていることを特徴とする。
【００２６】
本発明によれば、ホット側の金具の軸部が絶縁性の部材で被覆されているので、たとえば、コールド側の電装線の被覆が剥がれたり、電装基板への半田接続部が外れた場合でも、これらがホット側の金具と接触することがないので、電気的にショートするのを防止することができる。
【００２７】
本発明の請求項７に記載された調光用アダプタ装置は、請求項６に記載された発明において、上記ホット側の金具の軸部を被覆する絶縁性の部材は、上記ホット側の金具の軸部を挿通可能な鞘管部と、その鞘管部の一端から外側に張り出した鍔部とで構成された一体成形品とされ、上記鞘管部で上記ホット側金具の軸部を被覆絶縁するとともに、上記鍔部が上記ホット側の金具の頭部とコールド側の金具とを絶縁するように構成されていることを特徴とする。
【００２８】
このように、ホット側の金具の軸部を被覆する絶縁性の部材が、コールド側の金具の軸部を挿通可能な鞘管部と外側に張り出した鍔部とを有する一体成形品で構成されることにより、鞘管部にホット側の軸部を挿通した状態でホット側の金具をケース本体に組み付けることによって、ホット側金具の軸部外周面の絶縁と、上記ホット側の金具の頭部とコールド側の金具との絶縁とを一工程で行うことができ、組み立て作業を容易かつ迅速に行うことができる。
【００２９】
本発明の請求項８に記載された調光用アダプタ装置は、請求項７に記載された発明において、上記コールド側の金具と上記電装基板とを接続する電装線が上記鞘管部に巻装されていることを特徴とする。
【００３０】
このようにコールド側の金具と電装基板とを接続する電装線を上記鞘管部に巻装することにより、電装線の絡まりが防止され、また、組み付け作業の際に電装線が邪魔になるのが防止される。
【発明の効果】
【００３１】
以上のように、本発明によれば、電球用ソケットに取り付けるための口金部と、電球を取り付けるためのソケット部と、上記口金部およびソケット部を電気的に接続し、かつ、外部から調光用の制御情報を受信するための受信手段と上記制御情報に基づいて上記電球の調光制御を行う調光制御手段を備えた電装基板が内蔵されたケース本体とを備えた調光用アダプタ装置において、該装置を電球用ソケットに装着した後に、該ソケットへの装着を緩めることなく、受信手段の位置調節等の操作を行うことができる。
【００３２】
そのため、既存の照明器具の取り替え工事を必要とすることなく、簡単な作業のみで既存の照明器具を遠隔操作可能な調光照明に取り替えることができ、ヒーリングライトによる演出効果を手軽に楽しめる環境を提供することができる。
【発明を実施するための最良の形態】
【００３３】
実施形態１
以下、本発明の実施形態を図面に基づいて詳細に説明する。
本発明に係る調光用アダプタ装置は、浴室等の室内照明に用いられる照明器具に備え付けられた白熱電球用のソケット（電球用ソケット）に装着することによって、当該照明器具を調光照明に変更するための装置であって、電球と電球用のソケットとの間に介装されるアダプタの形態とされる。
【００３４】
図１は、本発明に係る調光用アダプタ装置を斜め前方から見た状態を示す斜視図であり、図２は、同調光用アダプタ装置を斜め後方から見た状態を示す斜視図である。また、図３(a)は、同調光用アダプタ装置の正面図を示し、図３(b)は、同調光用アダプタ装置の背面図を示している。図４(a)は、同調光用アダプタ装置の側面図を示し、図４(b)は、同調光用アダプタ装置の側面断面図を示している。さらに、図５及び図６は、同調光用アダプタ装置の分解斜視図を示しており、図７は、同調光用アダプタ装置の電気的な構成を示すブロック図である。なお、図８は本発明に係る調光用アダプタ装置が装着される照明器具、すなわち、調光機能を持たない通常の白熱電球を用いた照明器具の一例を示した説明図である。
【００３５】
以下の説明においては、この図８に示す照明器具に本発明に係る調光用アダプタ装置を装着する場合について説明する。なお、図８に示す照明器具の一般的な構成は周知であるので細部の説明は省略するが、同図において符号Ｗは照明器具が取り付けられた壁面を示しており、この壁面Ｗに白熱電球（具体的には、口金のサイズが「Ｅ２６」の白熱電球）Ｌを装着するための電球用ソケットＳを備えた台座Ｂが取り付けられるとともに、この台座Ｂに上記白熱電球Ｌを覆うグローブＧが着脱可能に装着されているものとする。
【００３６】
本発明に係る調光用アダプタ装置（以下、「アダプタ装置」と称する）１は、該アダプタ装置１を上記電球用ソケットＳに取り付けるための口金部２と、上記アダプタ装置１に所定の電球Ｌｘを取り付けるためのソケット部３と、これらが取り付けられたケース本体４とを主要部として構成され、該ケース本体４内には上記口金部２とソケット部３とを電気的に接続する電装基板５が内蔵されている。なお、この電装基板５には、外部から調光用の制御情報を受信するための受信手段と、受信された制御情報に基づいてソケット部３に装着された電球Ｌｘの調光制御を行う調光制御手段とが備えられているが、これらの詳細については後述する。
【００３７】
上記ケース本体４は、回転機構を介して上記口金部２を回転可能に保持するとともに、上記ソケット部３に所定の電球Ｌｘを装着した際に当該電球Ｌｘの光源（フィラメントの部分）が予め定められた所定の位置に配置されるように、上記ソケット部３を取り付けるソケット取付部４１を備えている。
【００３８】
そこで、まずケース本体４の概略構成を説明した後、口金部２およびソケット部３の取付構造について説明する。
【００３９】
ケース本体４は、図１乃至図６に示すように、略円筒状の所定形状に形成された樹脂成型品で構成される。具体的には、このケース本体４は、その基端側が開口されて回転体嵌合部が形成されている。そして、この開口部（回転体嵌合部）の外側に上記ソケット部３の基端部３ａを装着するためのソケット取付部４１が内向きに所定の角度（傾き）をもって張り出し形成されるとともに（図４(b)参照）、このソケット取付部４１に上記ソケット部３を装着した際に、該ソケット部３の胴体がケース本体４と接触しないように、上記ソケット部３の外周に沿って凹状溝４２が形成されている（図５参照）。
【００４０】
上記ソケット取付部４１は、該取付部４１にソケット部３を取り付けた際に、該ソケット部３の基端部３ａが口金部２の回転軸（口金部２を上記電球用ソケットＳに螺合する際の回転中心であり、本実施形態では導体ピン２４）の外側に位置するとともに、該ソケット部３に装着される電球Ｌｘの光源（フィラメントの位置）が上記回転軸の略延長線上に位置するようにケース本体４に設けられている。
【００４１】
これは、本発明のアダプタ装置１は、既設の照明器具の電球用ソケットＳに装着されることから、ソケット部３を上記口金部２の回転軸と同軸上に配置すると、該アダプタ装置１の厚み分だけ電球が突出することになるので、ソケット部３を傾けることによって、アダプタ装置１の厚みによる電球の突出を回避するためである。
【００４２】
そして、本実施形態では、上記ソケット部３及びケース本体４は、該ソケット部３に上記電球Ｌｘを装着した際における当該電球Ｌｘの光源（フィラメントの位置）が、アダプタ装置１を適用する以前に上記電球用ソケットＳに装着されていた既設の電球（本実施形態では、電球用ソケットＳに対応する口金サイズ（Ｅ２６）の白熱電球）Ｌの光源（フィラメントの位置）と略同じ位置になるように（図１０参照）、上記ソケット部３の受金径及びケース本体４の形状・寸法が設定されている。
【００４３】
なお、本実施形態では、アダプタ装置１に装着する電球Ｌｘとして、一般の白熱電球（口金サイズがＥ２６のもの）よりも小型の電球（たとえば、口金サイズがＥ１７のミニクリプトン電球）を用いるので、上記ソケット部３の受金径やケース本体４の形状・寸法は、この電球Ｌｘのサイズに合わせて設定される。
【００４４】
一方、このケース本体４の内側には、上記電装基板５を所定の位置に嵌合保持する構造が備えられている。具体的には、本実施形態では、上記電装基板５は、図６に示すように略Ｄ字状の基板で構成されているので、ケース本体４の内側はこのＤカットされた電装基板５に対応する形状とされている。つまり、ケース本体４は、上記電装基板５を嵌合保持することによって、上記電装基板５をケース本体４と一体的に回転可能に収容する構造を備え、上記回転機構によってケース本体４と口金部２との位置が相対的に移動（回転）しても電装基板５とケース本体４との位置関係は変化しないように構成されている。
【００４５】
ここで、本実施形態では、ケース本体４が電装基板５を嵌合保持するにあたり、上記電装基板５のＤカットされた部分（基板外周のカットされた直線部分）が上記ソケット取付部４１側に位置するように構成される。
【００４６】
そして、ケース本体４の内側において、上記電装基板５のＤカット部分によって空いた空間には、図９に示すように、後述する回転体２１の表面と当接されてこれを支える回転部支え４７と、該回転体２１の表面に突出形成された回転規制突起（図示せず）と係合して上記回転体２１の回転を規制する回転ストッパ４８とが、上記回転体２１に臨んで突出形成されている。
【００４７】
なお、図９において符号３３，３３で示すのは、上記ソケット部３に設けられた端子金具である。この端子金具３３，３３は、上記ソケット部３をソケット取付部４１に装着する際に、ケース本体４に形成された端子挿通穴（図示せず）を通すことによって、その先端が図９に示す位置に配置される。すなわち、ケース本体４内の所定位置に電装基板５が嵌合保持された状態で上記ソケット部３をソケット取付部４１に取り付けると、上記端子金具３３，３３が、電装基板５の所定部位（ソケット部３と電気的に接続される部位）に接触するかあるいは近接するようにされており、これらを接触させまたは半田付けすることにより、ソケット部３と電装基板５とが電気的に接続される。
【００４８】
また、このケース本体４の内側の中央部（口金部２を上記電球用ソケットＳに螺合する際の回転軸（回転中心）と同心位置）には、ケース本体４の開口部に臨んで金属製のナット（ナット体）４３が埋設されている（図４(b)参照）。このナット４３は、後述するように、電球用ソケットＳのホット側の電極と電気的に接続される導体ピン２４の先端に形成されたネジ山と係合可能なネジ溝を有しており、該導体ピン２４がこのナット４３に螺合されることによって、上記導体ピン２４がこのナット４３を介して上記所定位置に嵌合保持された電装基板５の所定部位（口金部２と電気的に接続される部位）と接触導通するように構成されている。
【００４９】
更に、このケース本体４の基端側開口端内周面（回転体嵌合部の内周縁）には、上記口金部２を回転可能に保持するための回転機構の一部を構成する凹凸歯部（凹凸部）４４が全周にわたって形成されている。この凹凸歯部４４は、後述する回転体２１の係合爪２１ｃと係合し、ケース本体４と口金部２とが自由回転するのを防止するとともに、ケース本体４（または口金部２）の回転操作時に操作者に適度なクリック感を与えるためのものであって、本実施形態では、ケース本体４の開口端内周面に約４０個の凹凸を設けることによって構成されている。なお、この凹凸の位置や個数は上記目的を達成するものであれば適宜変更可能である。すなわち、本実施形態では、開口端内周面の全周に凹凸歯部４４を形成したが内周面の一部にのみ設けられていてもよく、また、その個数も適宜の増減変更可能である。
【００５０】
また、上記ケース本体４の外側面には、図４に示すように、ケース本体４内に貫通する貫通穴（開口部）４５が形成されている。この貫通穴４５は、ケース本体４内にこもった熱（すなわち、上記電装基板５に実装された電装部品から発せられる熱だけでなく上記ソケット部３やケース本体４の表面等から受ける電球の熱を含む）をケース本体４の外に排出するために設けられた熱抜き用の穴であって、ケース本体外周の適所に適当数設けられる。また、この貫通穴の一部は後述する信号受信部（受信手段）５１が赤外線信号を受光するための信号取り込み口としても作用する。
【００５１】
本実施形態では、後述するように、電装基板５には、上記ソケット部３の基端部３ａに近い位置に発熱量の多い電装部品が配置され、かつ、使用にあたっては該ソケット部３の基端部３ａ側が上方に位置するようにケース本体４の位置が調節されるため、この貫通穴４５をケース本体４の上記ソケット部３の基端部３ａに近い位置とその対向位置（図４(b)において上下の位置）とに形成しておくと、この貫通穴４５を通じてケース本体４内の空気が対流するので、ケース本体４内の熱を効率的に排出することができる。
【００５２】
また、ケース本体４の正面側外周縁４６は、図４に示すように、テーパ状に角落とし加工（いわゆるＣカット）がなされている。これは、上記ソケット部３に電球Ｌｘを装着した際に該電球Ｌｘと対面するケース本体正面の外周縁を角落とししておくことで、電球Ｌｘが点灯した時に、該電球Ｌｘから放射される光や熱を受けるケース本体４の面積を少なくするためである（図１０参照）。
【００５３】
次に、上記口金部２について説明する。この口金部２は、上記電球用ソケットＳと係合可能な形状の口金を備えて構成される。すなわち、本実施形態では、上記電球用ソケットＳとして、口金のサイズが「Ｅ２６」の白熱電球Ｌに対応するソケットが採用されているので、この口金部２は「Ｅ２６」の電球と同じサイズの口金を備えて構成される。
【００５４】
そして、本発明に係るアダプタ装置１では、この口金部２は、回転機構を介して上記ケース本体４に回転可能に保持されている。具体的には、この口金部２は、図６に示すように、回転体２１と、口金本体（コールド側の金具）２２と、絶縁軸体２３と、導体ピン（ホット側の金具）２４とを主要部として構成され、該導体ピン２４を回転軸として上記ケース本体４に回転可能に取り付けられる。
【００５５】
上記回転体２１は、口金部２（換言すれば、口金本体２２）を上記導体ピン２４とは独立して、ケース本体４に回転可能に保持させるための部材であって、略円盤状の回転体本体部２１ａの裏面中央に中空円筒状のボス部２１ｂが突出形成された樹脂の一体成形品で構成されている。ボス部２１ｂは、上記口金本体２２を嵌合させるための突起であって、その頭頂面には上記絶縁軸体２３の鞘管部２３ａを装着するための開口部が形成されている（図４(b)参照）。
【００５６】
上記回転体本体部２１ａの外周縁の所定位置には、上記ケース本体４の開口部内周縁に形成された凹凸歯部４４の凹部と弾発係合する係合爪（爪部）２１ｃが形成されている。この係合爪２１ｃは、上記ケース本体４の凹凸歯部４４とともに回転機構の一部を構成するもので、ケース本体４に保持された回転体２１が自由回転するのを防止するとともに、回転操作をする際に操作者に適度なクリック感を与えるために設けられている。ただし、この係合爪２１ｃと上記凹凸歯部４４との係合の強さ（クリック感）は、後述する電球Ｌｘの位置調節の際に、ケース本体４を反時計方向に回転させても電球用ソケットＳへの口金部２の装着が緩まないように、あまり強くなり過ぎないように設定される。そのため、本実施形態では、上記係合爪２１ｃは、プラスチック樹脂によって上記回転体本体部２１と一体に成形された厚さ２，３ミリ程度のものが用いられる。
【００５７】
なお、この係合爪２１ｃは、上記回転体本体部２１ａの外周縁の少なくとも一箇所に設けられていればよいが、図３(b)に示すように、回転体本体部２１ａの回転中心（導体ピン２４）を挟んで対称位置に一対設けるなど、複数設けることも可能である。
【００５８】
また、この回転体本体部２１ａの表面の所定位置（具体的には、上記本体ケース４側に設けられた上記回転ストッパ４８と同心位置）には、口金部２の回転を規制する回転規制突起（図示せず）が突出形成されており、上記回転体２１の回転時にこの回転規制突起が上記回転ストッパ４８と衝突することによって口金部２（または本体ケース４）の回転が、図３(b)に矢符で示した範囲（図中の符号Ｘ−Ｙ間の範囲）に制限される。つまり、本実施形態では、この口金部２は、上記ケース本体４に保持された状態で左右に略３６０°（具体的には３６０°弱）の回転が可能に設定されている。
【００５９】
このように、回転ストッパ４８によって口金部２の回転範囲に制限を設けたのは、後述するように、アダプタ装置１を電球用ソケットＳに装着する際にケース本体４に加えられる力（回転方向の力）が口金部２に伝えられるようにしたためであり、また、その回転範囲が略３６０°に設定されているのは、後述するように、回転体２１のボス部２１ｂ内に上記口金本体２２と電装基板５とを接続する電装線６が配されていることから、口金部２（またはケース本体４）の回転によってこの電装線６に過度のストレス（電装線の半田付けを引き剥がす力）がかからないようにするためである。したがって、この回転可能範囲は上記電装線６の長さ等に応じて適宜設計変更可能である。
【００６０】
上記口金本体２２は、上記電球用ソケットＳのコールド側の電極と電気的に接続される部材であって、中空略円筒状の金属製（導体）の部材で構成される。そして、その胴体部２２ａの外周面には上記電球用ソケットＳの受金に螺合するネジ山が形成されるとともに、その基端部は内周側に向かって内向きの張出部（フランジ部）２２ｂが形成され、この張出部２２ｂに上記電装線６の一端を半田付けするための半田装着代（図示せず）が設けられている。
【００６１】
なお、この口金本体２２は、図６に示すように、その先端の開口部を上記回転体２１のボス部２１ｂに嵌合させ、さらにその外側に上記口金本体２２の張出部２２ｂの略全域を覆う略Ｕ字状の補強金具２５を当接し、この状態で、これら補強金具２５と張出部２２ｂの双方を、共にビス２６，２６によって回転体２１のボス部２１ｂにビス止め固定することによって、回転体２１に装着される。
【００６２】
上記絶縁軸体２３は、全体が絶縁体で構成され、口金部２を貫通する導体ピン２４と上記口金本体２２とを電気的に絶縁するための部材であって、上記導体ピン２４のピン軸部２４ｂが挿通される筒状の鞘管部２３ａと、この鞘管部２３ａの基端側に上記口金本体２２の基端部（補強金具２５及びビス２６）を被覆するように周方向（外側）に張り出し形成された鍔部２３ｂとで構成されている。
【００６３】
この絶縁軸体２３の鞘管部２３ａは、上述したように、上記回転体２１のボス部２１ｂの頭頂面に設けられた開口部に挿入可能な外径を有し、鞘管部２３ａの軸方向長さは、図４(b)に示すように、口金部２を組み付けた際に電装基板５の裏面に届く程度の長さに設定されている。ここで、鞘管部２３ａの軸方向長さが電装基板５の裏面に届くように設定されているのは、上記絶縁軸体２３は導体ピン２４の全周を覆う構造を有しているので、その長さを電装基板５の裏面に届くように設定することによって、電装基板５の裏面に半田付けされた電装線６が何らかの理由で外れた場合でも、電装線６の先端が導体ピン２４に接触しないようにするためである。
【００６４】
上記導体ピン２４は、上記電球用ソケットＳのホット側の電極と電気的に接続される部材であって、ピン頭部２４ａが白熱電球Ｌの口金先端に形成された半田部分に相当するように、上記絶縁軸体２３の鍔部２３ｂの表面から突出する形状を有する一方、ピン軸部２４ｂは、後述するケース本体４に取り付けられたナット４３と螺合可能なように、所定の長さを有するとともにその先端にネジ山が形成されている。
【００６５】
しかして、このような部材から構成される口金部２は、図６に示すように、まず、ケース本体４の内部に上記電装基板５を嵌合し、その後、上記口金本体２２及び補強金具２５が装着された回転体２１に、上記絶縁軸体２３の鞘管部２３ａを挿通するとともに、この鞘管部２３ａに導体ピン２４のピン軸部２４ｂを挿通し、その状態で、上記ピン軸部２４ｂの先端を上記ナット４３に螺合することによってケース本体４に組み付けられる。つまり、口金部２は、導体ピン２４とナット４３（ケース本体４）とによって、電装基板５と回転体２１と絶縁軸体２３とを挟み込むようにして組付けられている。このように本実施形態では、口金部２の口金本体２２（コールド側の金具）がケース本体４及び導体ピン（ホット側の金具）２４とは独立して回転可能に構成されている。
【００６６】
その際、上記口金本体２２の半田装着代と電装基板５の所定部位とに電装線６が半田付けされ、これによって両者が電気的に接続される。なお、この電装線６は、口金部２が上述した範囲で回転した場合でもその長さが不足しないように適当な長さを有し、絶縁軸体２３の鞘管部２３ａに巻き付けるようにボス部２１ｂ内に収納されている。すなわち、電装線６は、上記口金部２をその回転が規制される位置まで最大に回転させたときでも、図４(b)に示すように、絶縁軸体２３の鞘管部２３ａの外周を回り込んで、上記半田付け部分が引き剥がされないように鞘管部２３ａに巻装されている。
【００６７】
一方、ソケット部３は、上述したように、１７Ｅの口金のミニクリプトン電球（電球Ｌｘ）を装着するためのソケットであって、樹脂製の略円筒形状のソケットケース３１の内部に、電球を螺合するためのネジ溝を備えた受金３２が備えられている。なお、この受金３２には、上述した端子金具３３，３３が接続されており、この端子金具３３，３３がソケットケース３１の基端部から外部に突出状に設けられている（図５参照）。
【００６８】
そして、このソケット部３は、その基端面を上記ケース本体４のソケット取付部４１に当接し（その際、上記端子金具３３，３３はケース本体４の端子挿通穴（図示せず）に挿通し）、その状態で、ソケット取付部４１の裏面側から取付ビス３４によってソケット取付部４１に装着固定される。
【００６９】
そして、本実施形態では、このようにして口金部２及びソケット部３が取り付けられたケース本体４の正面には、さらに、図５に示すように、反射板７及び断熱材８が装着されている。
【００７０】
具体的には、上記反射板７は、上記ソケット部３に電球Ｌｘを装着した際に該電球Ｌｘと対面する部位に該電球Ｌｘから発する光や熱を反射するように配置されるものであって、本実施形態では、アルミやステンレス製の金属板を、上記ケース本体４の正面の形状に合わせて所定形状に曲折加工してなるものが用いられる。
【００７１】
また、上記断熱材８は、上記電球Ｌｘから放射される熱等によって加熱昇温した反射板７の熱がケース本体４に伝わらないように、ケース本体４と反射板７との間に介装される断熱材層であって、上記反射板７と同様、断熱材を上記ケース本体４の正面の形状に合わせて所定形状に加工したものが用いられる。
【００７２】
そして、これらのケース本体４への取り付けは、ケース本体４の正面に断熱材８と反射板７とを重ね合わせ、その状態で正面側からビス９によりビス止め固定される。なお、その際、反射板７とソケット部３の胴体とが接しないようにされているのは、ケース本体４の場合と同様である。つまり、ケース本体４の成形にあたっては、断熱材８や反射板７の厚みを考慮して、これらがソケット部３の胴体と接触しないように設計される。
【００７３】
しかして、このように構成されたアダプタ装置１は、その使用にあたり、図１０に示すように、電球Ｌｘが略斜下向きになるように口金部２を上記電球用ソケットＳに装着して使用する。
【００７４】
すなわち、使用にあたり、まず、照明器具のグローブＧを取り外し、その状態で、ソケット部３に電球Ｌｘが装着されたアダプタ装置１の口金部２を電球用ソケットＳに装着する。この口金部２の装着にあたっては、ケース本体４を手に持って口金部２を上記電球用ソケットＳの受金に時計方向にねじ込んで装着する。その際、口金部２はケース本体４に回転可能に保持されているが、口金部２は係合爪２１ｃによってケース本体４の凹凸歯部４４に弾発係合しているので、ケース本体４を持ってねじ込んだときには、口金部２はケース本体４と一体的に回転し、電球用ソケットＳの受金に装着される。
【００７５】
そして、上記口金部２が電球用ソケットＳの奥までねじ込まれると（換言すれば、導体ピン２４のピン頭部２４ａが電球用ソケットＳの奥にある端子と接触するまでねじ込まれると）、そこで口金部２の回転は止まるが、口金部２はケース本体４に回転可能に保持されているので、この時点ではケース本体４は回転操作可能である。
【００７６】
口金部２の回転が停止した状態でケース本体４を更に回転させると、係合爪２１ｃが撥ね上げられて係合爪２１ｃは隣接する凹部に弾発係合し、その際に「カチ」「カチ」といったクリック感が音とともに操作者に伝わる。そして、ケース本体４に設けられた回転ストッパ４８と口金部２の回転規制突起が衝突するまでこの回転操作は可能であり、両者が衝突すると、その時点でケース本体４はそれ以上回転しなくなる。なお、このように、ケース本体４が回転しなくなるまでケース本体４の回転操作をすることによって、上記導体ピン２４のピン頭部２４ａと電球用ソケットＳの奥にある端子との電気的な接続を確実なものとすることができる。
【００７７】
なお、この状態で、更にケース本体４を回転操作すると、上記口金本体２２は電球用ソケットＳの受金に入り込もうとする一方、口金部２はそれ以上ねじ込めないので、その結果、口金部２の口金本体２２には、該口金本体２２を上記回転体２１から引き剥がそうとする力が作用することとなる。しかしながら、本実施形態では、上述したように、口金本体２２の基端部は、その略全面が補強金具２５を介して回転体２１のボス部２１ｂにビス止め固定されているため、このような力が作用しても口金本体２２が回転体２１から浮き上がることなく、口金部２に不具合が生じるのが防止されている。
【００７８】
このようにして、上記口金部２を電球用ソケットＳに装着した際に、電球Ｌｘが図１０に示すように斜め下向きとなっていればアダプタ装置１の取り付けはそれで完了するが、そうでない場合には、ケース本体４を反対（反時計方向）に回転操作し、電球Ｌｘの向きが斜め下向きとなるようにその位置を調節する。その際、口金部２が電球用ソケットＳにしっかりと装着されていれば、口金部２は回転せずにケース本体４のみが回転するため、口金部２の装着が緩むことなく電球Ｌｘの向きを調節することができる。しかも、調節された位置において上記凹凸歯部４４と係合爪２１ｃとが係合することによって、ケース本体４と口金部２の相対的な位置が位置決めされ、両者の位置が勝手にずれることがない。
【００７９】
そして、電球Ｌｘの位置調節が完了すると、最後に、照明器具にグローブＧを装着し、アダプタ装置１の取り付けを完了する。
【００８０】
このように、電球Ｌｘの向きが斜め下向きとなるようにアダプタ装置１を調節して使用するのは、電球点灯時に電球Ｌｘのフィラメントで発生した熱を上記ソケット部３に沿って上方に伝搬させることによって、電球のガラス球部分に集中する熱を分散させ、これによりグローブＧの特定部分（電球のガラス球上方部分）に熱が集中するのを防止するとともに、上記ソケット部３に伝搬した熱がケース本体４内の電装基板５に伝わるのを抑制するためである。
【００８１】
次に、アダプタ装置１の電気的構成について、図７に基づいて説明する。図７に示すように、アダプタ装置１は、口金部２とソケット部３とが電装基板５を介して電気的に接続されている。
【００８２】
この電装基板５は、外部から調光用の制御情報を受信して、当該制御情報に基づいてソケット部３に装着された電球Ｌｘの調光制御を行うための電装部品を実装してなるもので、図示のように、信号受信部５１と、電力制御部５２と、温度検出部５３と、制御部５４と、電源部５５とを主要部として備えている。
【００８３】
上記信号受信部（受信手段）５１は、リモコン１０から送信される制御情報を受信する受信装置であって、本実施形態では、この信号受信部５１は赤外線受光装置で構成される。すなわち、本実施形態では、制御情報を送信するリモコン１０は、図７に示すように、操作部１１での操作に応じてリモコン制御部１２が制御情報を生成し、この制御情報が信号送信部１３で赤外線信号に変換されて発光送信される構成を採用していることから、上記信号受信部５１は当該赤外線信号を受信可能な赤外線受光装置の形態とされる。したがって、この信号受信部５１は、リモコン１０の信号送信形態に応じて適宜変更可能である。
【００８４】
なお、この信号受信部５１は、赤外線の受光部が上記電装基板５の表面に実装され、上述したケース本体４の外周に設けられた貫通孔４５を通じて外部からの制御情報（赤外線信号）を受信するように構成されている。具体的には、上記ケース本体４が適正な位置に調節された際に、信号の受信状態が最もよくなる位置に配置されている。
【００８５】
上記電力制御部５２は、上記制御部５４から与えられる調光制御信号に基づいて、ソケット部３に装着された電球Ｌｘの明るさを調節する（調光制御を行う）回路であって、具体的には、上記調光制御信号に基づいて口金部２から供給されソケット部３に与えられる電力の位相制御を行う位相制御回路で構成されている。なお、この位相制御回路の構成は周知であるので、細部の説明は省略する。
【００８６】
温度検出部５３は、上記電装基板５がケース本体４内の所定位置に嵌合保持され、かつ電球Ｌｘが斜め下向きとなるようにケース本体４が位置調節された際に、該電装基板５の上下（換言すれば、上記ソケット部３の基端部３ａに近い位置と、遠い位置）に配された一対のサーミスタ（温度検出手段）Ｔｈ１，Ｔｈ２で構成される。
【００８７】
具体的には、上述したように、本実施形態では、上記電装基板５としてＤカットされた基板が用いられ、かつこのカットされた部分（基板外周の直線部分）が上記ソケット部３の基端部３ａに近い位置に配されるので、上記サーミスタＴｈ１，Ｔｈ２は、図１１に示すように、電装基板５上の上下２箇所に配設される。
【００８８】
なお、これに関連して、本実施形態では、上記電力制御部５２や電源部５５などを構成する電装部品のうち、トライアックや抵抗器など発熱量の多い電装部品は、電装基板５の上方、つまり、該電装基板５がケース本体４内に収容保持された際に上記ソケット部３の基端部３ａに近い位置に配設されるように、電装基板５上に実装されている。また、これに伴って、制御部５４のマイクロコンピュータなど熱に弱い電装部品や赤外線の受光部などは電装基板５の下方に配置されている。
【００８９】
これは、発熱量の多い電装部品を上方に配置しておくことで、これらの電装部品から発生した熱によって熱に弱い部品が不具合を起こすのを防止するためである。したがって、本実施形態では、上記ケース本体４が正しく位置調節されている場合（電球Ｌｘが斜め下向きとなるように位置調節されている場合）、電装基板５の上部の温度が高く、下部の温度が低くなる。
【００９０】
上記温度検出部５３は、このような電装基板５における温度差を検出するためのものであり、この温度検出部５３で検出された温度情報は、上記制御部５４に入力される。
【００９１】
制御部５４は、アダプタ装置１の制御中枢を構成するもので、所定の制御プログラムを記憶してなるマイクロコンピュータを備えて構成される。具体的には、この制御部５４は、上記信号受信部５１から与えられる制御情報に基づいて上記電力制御部５２を制御する処理（調光制御処理）と、上記温度検出部５３からの温度情報に基づいて電装基板５（換言すれば、電球Ｌｘ）が正しい位置にあるか否かを判断する処理（位置検出処理）とを実行する。なお、この制御部５４と上記電力制御部５２とが電球Ｌｘの調光制御を行う調光制御手段を構成する。
【００９２】
そこで、まず制御部５４における調光制御処理について説明する。この調光制御処理を実行するために、上記制御部５４には、信号受信部５１で受信された制御情報を解析するプログラム（信号解析プログラム）と、制御情報の解析結果に応じた調光制御信号を生成するプログラム（調光制御信号生成プログラム）とが記憶されている。
【００９３】
そして、たとえば、上記信号受信部５１で受信した制御情報が「照明を暗くする指令」である場合には、上記制御部５４は、この指令に対応する調光制御信号、つまり、電力制御部５２に対してソケット部３に供給される電力を少なくさせることを命ずる指令を与え、電球Ｌｘの明かりが暗くなるようにする。また、反対に、受信した制御情報が「照明を明るくする指令」である場合には、上記制御部５４は、この指令に対応して、電力制御部５２にソケット部３に供給する電力を多くすることを命ずる指令を与え、電球Ｌｘの明かりが明るくなるようにする。
【００９４】
なお、この調光制御処理の具体的な内容は、上記リモコン１０のリモコン制御部１２の設定や、上記制御部５４における信号解析プログラムや調光制御信号生成プログラムの内容を変更することによって適宜設計変更可能である。たとえば、上述した例では、リモコン制御部１２で生成される制御情報の中に照明を暗くするか明るくするかの情報を盛り込んだ場合を示したが、たとえば、制御部５４は、リモコン制御部１２から制御情報を受信すると、これに応じて予め定めた所定量だけ電力を少なくして照明を暗くするように構成し、制御情報の受信が所定回数に達すると照明を元の状態に戻すように設定することなども可能である。要は、外部から信号受信部５１に与えられる調光用の制御情報に基づいて、制御部５４及び電力制御部５２が電球Ｌｘの調光制御を行うように構成されていればよい。
【００９５】
次に、制御部５４における位置検出処理について説明する。本発明に係るアダプタ装置１は、上述したように、口金部２を電球用ソケットＳに装着する際に、電球Ｌｘが斜め下向きになるようにケース本体４の位置調整を行うものとされており、ケース本体４の位置がかかる適正な位置にないと、上述した放熱、排熱の効果が十分に機能し得ず、また、上述した赤外線信号の受信状態が悪くなる。そのため、本発明のアダプタ装置１では、ケース本体４（換言すれば、電装基板５）が適正な位置にあるか否かを上記温度検出部５３からの温度情報に基づいて制御部５４が判断するように構成されている。
【００９６】
具体的には、制御部５４は、上記サーミスタＴｈ１，Ｔｈ２で得られたデータ（温度情報）を読み込んで、両者の温度差に基づいてケース本体４が適正な位置にあるか否かを判断する。ここで、電装基板５の上方に取り付けられたサーミスタＴｈ１での検出値（検出温度）をＴ１とし、電装基板５の下方に取り付けられたサーミスタＴｈ２の検出値（検出温度）をＴ２とする。
【００９７】
上記ケース本体４が適正な位置で電球Ｌｘが点灯されると、本実施形態では発熱量の多い電装部品が電装基板５の上方に配置されているので、サーミスタＴｈ１，Ｔｈ２の検出値は、図１２(a)に示すように、時間の経過に伴って上昇し、かつ両者の温度差（Ｔ１−Ｔ２）が大きくなる。
【００９８】
これに対し、たとえば、ケース本体４が適正位置から９０°近くずれているような場合には、図１２(b)に示すように、時間の経過に伴ってサーミスタＴｈ１，Ｔｈ２の検出値Ｔ１，Ｔ２は上昇するが、両者の温度差（Ｔ１−Ｔ２）はケース本体４が適正位置にある場合より小さくなる。また、ケース本体４の位置が１８０°近くずれると、さらに温度差が０に近づき、場合によっては温度差がマイナスになる可能性がある。
【００９９】
本実施形態では、このようなケース本体４の位置によるサーミスタＴｈ１，Ｔｈ２の検出値Ｔ１，Ｔ２の温度差の現れかたに着目してケース本体４の位置が適正か否かを制御部５４が判断するようにしたもので、制御部５４は、電球Ｌｘが点灯すると、上記制御部５４はサーミスタＴｈ１，Ｔｈ２の検出値Ｔ１，Ｔ２の読み込みを開始し、両者の温度Ｔ１，Ｔ２が所定の温度Ｔａになると、「Ｔ１＞Ｔ２で、かつ温度差（Ｔ１−Ｔ２）が所定値Ｔｂ以上であるか」を判断し、その結果が肯定的であれば「ケース本体４は適正位置にある」と判定し、また、結果が否定的であれば「ケース本体４は適正位置にない」と判定するように構成されている。
【０１００】
なお、この判断の結果、「ケース本体４は適正位置にない」と判定した場合、上記制御部５４は、その旨をユーザに伝えるための所定の警告処理を実行するように構成される。この警告処理としては、たとえば、電球Ｌｘを所定周期（たとえば、５００ｍｓ）で点滅させたり、あるいは所定のレベル（明るさ）まで強制的に減光させたりするなど、上記電力制御部５２の制御を通じて行われる。
【０１０１】
このように、本実施形態のアダプタ装置１では、ケース本体４が適正な位置にない場合には、制御部５４がこれを検知して警告処理を実行するので、ケース本体４の施工不良（位置調節の不備）を早期に発見でき、アダプタ装置１内の電装部品の異常昇温を未然に防ぐことができる。また、ケース本体４を適正な位置に保つことができることに伴って、上記受信手段を受信に適した位置に配置することができ、正常な受信を行うことができるようになる。
【０１０２】
なお、上記電源部５５は、上記口金部２に供給される交流電力から直流電圧を生成し、電装基板５の各部に直流電力を供給するための電源回路で構成されている。
【０１０３】
実施形態２
次に、本発明の第２の実施形態について図１３乃至図１６に基づいて説明する。この第２の実施形態は、電球Ｌｘの装着方向を改変したものであって、具体的には、図示のように、ソケット部３′がケース本体４′と一体に形成される点で上記実施形態１と構造上の相違が見られるが、上記回転機構を含む口金部２の構造およびその組み付け方法、換言すれば、口金部２がケース本体４に回転可能に保持される構造や、電装基板５の保持構造やその電気的構成など、その他の基本的な構成は実施形態１と共通するので、構成が共通する部分には同一の符号を付して説明を省略する。
【０１０４】
すなわち、本実施形態におけるケース本体４′は、図１５及び図１６に示すように、ケース本体４′の表面中央にソケット部３′が、該ケース本体４′と一体的に形成されている。具体的には、略円筒状のソケットケース３１′の胴体部分の一部が上記ケース本体４′の表面に突出して設けられ、その他の多くの部分がケース本体４′内に突出状に設けられている。
【０１０５】
このソケットケース３１′内には、上述した実施形態と同様に、ホット側及びコールド側の受金３２′が設けられる。具体的には、図１４(a)及び図１５(b)に示すように、ホット側の受金３２ａは、ソケットケース３１′の内底面中央に表面側に向かって一片が立ち上がるように設けられた金属片で構成される。また、コールド側の受金３２ｂは、内周面に電球Ｌｘを装着するためのネジ溝が形成された略円筒状の金属部材で構成されている。
【０１０６】
そして、これら各受金３２ａ，３２ｂのソケットケース３１′への組み付けは、双方ともソケットケース３１′の底面を貫通する金属製のビス（または、ピン）３５，３６によってビス止めされ（または、かしめられ）て、両受金３２ａ，３２ｂが接触しないようにソケットケース３１′に取り付けられている。
【０１０７】
なお、これら各受金３２ａ，３２ｂと上記電装基板５との電気的な接続は、上記ビス等３５，３６を各受金３２ａ，３２ｂへ取り付ける際に、各受金３２ａ，３２ｂと導通する連結金具３７をソケットケース３１′側に装着しておき、この連結金具３７の一端を上記電装基板５に半田付け等することによって行われる（図１５(b)参照）。
【０１０８】
そして、本実施形態では、上記ソケットケース３１′がケース本体４′の中央に設けられたことに伴い、上記導体ピン２４を螺合するためのナット４３は、ソケットケース３１′の基端部に埋設される。
【０１０９】
また、ケース本体４′以外では、このようにソケット部３′をケース本体４′の表面中央に設けたことに伴って、図１６に示すように、上記反射板７′及び断熱材８′の具体的な形状も変更される。すなわち、上記反射板７′及び断熱材８′は、その中央にソケット部３′を挿通するための貫通孔が形成される。
【０１１０】
なお、その他の構成、たとえば、ケース本体４′の外周に複数の貫通穴（開口部）４５が設けられる点やケース本体４′の正面側外周縁４６がテーパ状に角落とし加工（いわゆるＣカット）される点は上述した実施形態と同様である。
【０１１１】
しかして、このように構成されたアダプタ装置１′は、上記ソケット部３′がケース本体４′の表面中央に垂直に設けられていることから、該アダプタ装置１′を電球用ソケットＳに装着すると、ソケット部３′に装着された電球Ｌｘは、壁面Ｗと直交するように配置される。
【０１１２】
なお、上述した実施形態１では、アダプタ装置１の使用時には電球Ｌｘが斜め下向きになるようにケース本体４の位置調節が行われること（アダプタ装置１が適正位置にあること）を前提として、電装基板５上の電装部品や温度検出手段の位置が設定（つまり、アダプタ装置１の使用時に電装基板５の上方に発熱量の多い電装部品が配置されるとともに、上下二カ所に温度検出手段が配置されるように設定）されていたが、本実施形態では、電球Ｌｘはケース本体４′の中央に壁面Ｗに直交するように取り付けられるため、アダプタ装置１′の外観（たとえば、電球Ｌｘやソケット部３′の向き）を目視しただけでは、該アダプタ装置１′の適正位置を判断することは困難である。
【０１１３】
そのため、本実施形態に示すアダプタ装置１では、外観を目視することによりケース本体４′の適正位置が判明するように、アダプタ装置１′の表面（たとえは、ケース本体４′の外周面）に適正位置を表示する表示手段（図示せず）が設けられる。
【０１１４】
すなわち、本実施形態においても、電装基板５上の電装部品及び温度検出手段は、アダプタ装置１′を適正位置に装着した際に、発熱量の多い電装部品が該基板５の上方に位置し、かつ温度検出手段が基板５の上下二カ所に位置するように配設されるとともに、アダプタ装置１′が適正位置になければ、制御部５４がこれを検知して所定の警告処理（たとえば、電球Ｌｘを所定の周期で点滅させるなどの処理）を実行するように構成されている。
【０１１５】
このように、本発明に係るアダプタ装置は、電球Ｌｘの装着方向を改変することも可能である。すなわち、この場合、ソケット部３′がケース本体４′内に入っているためソケット部３′における放熱効果は期待できないものの、ソケット部３′への熱の伝導率は低くなっている。なお、その他の排熱効果（たとえば、ケース本体４′の貫通穴４５による排熱や、発熱量の多い電装部品を上方に位置させることによる排熱の促進等）や、反射板７′や断熱材８′によるケース本体４内の温度上昇の抑制効果等は上記実施形態１と同様である。
【０１１６】
なお、上述した実施形態は本発明の好適な実施態様を示すものであって、本発明はこれらに限定されることなくその範囲内で種々の設計変更が可能である。
【０１１７】
たとえば、上述した実施形態では、アダプタ装置に装着される電球Ｌｘとしてミニクリプトン電球を用いた場合を示したが、電力制御による調光が可能な電球であれば、白熱電球や電球型蛍光灯のような他の電球・蛍光灯を用いることも可能である。
【０１１８】
また、上述した実施形態では、電球Ｌｘとして電球用ソケットＳに装着されていた白熱電球Ｌよりも小型の電球を用いたが、電球と電球用ソケットとの間に調光用アダプタ装置１を介装した状態でグローブＧの装着が可能であれば、ソケット部３の受金径を通常の電球サイズとして、通常の電球を用いることも可能である。また、上述した実施形態では、上記口金部２としてＥ２６タイプと同様の構造を備えた口金を用いたが、このサイズについてもたとえばＥ１７とするなど適宜変更可能である。
【０１１９】
また、上述した実施形態では、上記口金部２には交流電力が供給される場合を示したが、直流電力が供給される場合にも本発明は適用可能である。すなわち、その場合、上記電力制御部５２は直流電力を元に電球Ｌｘの調光を行う調光回路で構成される。
【０１２０】
また、上述した実施形態では、電装基板５に設けられるサーミスタＴｈ１，Ｔｈ２の検出値Ｔ１，Ｔ２は、ケース本体４，４′の位置が適正にあるか否かの判断にのみ用いられる場合を示したが、これらの検出値Ｔ１，Ｔ２に基づいて、制御部５４がケース本体４，４′内の異常昇温を検出し、所定の警告処理を行うように構成することも可能である。
【０１２１】
また、上記サーミスタＴｈ１，Ｔｈ２を２個以上配置し、これらに基づいてケース本体４，４′内の温度分布や温度差、さらには温度の上昇パターンなどを制御部５４で監視し、定格電力を超える電球の装着や発熱量の大きな電球の装着などを監視するように構成することも可能である。
【０１２２】
また、上述した実施形態では、口金部２を回転可能にケース本体４，４′に保持する回転機構に関して、凹凸歯部４４をケース本体４，４′側に、また、これと係合する係合爪２１ｃを回転体２１側に設ける構成を示したが、凹凸歯部を回転体２１に設け、係合爪をケース本体４に設けるように構成することも可能である。
【０１２３】
なお、上述した実施形態では、導体ピン２４のケース本体４，４′への取り付けが、ケース本体４，４′に埋設されたナット４３に導体ピン２４を螺合させることにより行われる場合を示したが、たとえば、上記電装基板５を上記ケース本体４，４′と一体回転するようにケース本体４，４′内に固定しておき、この電装基板５に上記ナット４３を取り付けるように構成することも可能である。すなわち、ナット４３には電装基板５に装着するためのピン（図示せず）が設けられ、このピンが電装基板５に半田付け等によって固定される。しかして、このようにナット４３を電装基板５に設ける構成では、該ナット４３と導体ピン２４のピン頭部２４ａの間に回転体２１が回転可能に保持されることとなる。
【０１２４】
また、上述した実施形態２では、ソケット部３′をケース本体４′と一体に設けた場合を示したが、ソケット部３′はケース本体４′から独立した構成とすることもできる。すなわち、この場合、たとえば、ケース本体４′の中央にソケット部３′に対応する凹部を形成しておき、この凹部にソケット部３′を取り付けるように構成することができる。
【０１２５】
なお、本発明の応用として、照明器具の台座Ｂ内に調光制御用の制御基板が内蔵されるような場合には、この台座Ｂに上述したような反射板や断熱材を配設したり、あるいは、台座Ｂの表面外周部を角落とし加工したりしておくことも可能である。
【図面の簡単な説明】
【０１２６】
【図１】本発明に係る調光用アダプタ装置を斜め前方から見た状態を示す斜視図である。
【図２】同調光用アダプタ装置を斜め後方から見た状態を示す斜視図である。
【図３】図３(a)は、同調光用アダプタ装置の正面図を示し、図３(b)は、同調光用アダプタ装置の背面図を示している。
【図４】図４(a)は、同調光用アダプタ装置の側面図を示し、図４(b)は、同調光用アダプタ装置の側面断面図を示している。
【図５】同調光用アダプタ装置の反射板の組み付け構造を示す分解斜視図である。
【図６】同調光用アダプタ装置の口金部の組み付け構造を示す分解斜視図である。
【図７】同調光用アダプタ装置の電気的な構成を示すブロック図である。
【図８】同調光用アダプタ装置が装着される照明器具、すなわち、調光機能を持たない通常の白熱電球を用いた照明器具の一例を示した説明図である。
【図９】同調光用アダプタ装置におけるケース本体のソケット取付部周辺の構造を示す部分拡大図である。
【図１０】同調光用アダプタ装置を照明器具に取り付けた状態を示す説明図である。
【図１１】同調光用アダプタ装置の電装基板への温度検出手段の取り付け位置を示す説明図であり、図１１(a)は同電装基板の正面図であり、図１１(b)は同電装基板の側面図である。
【図１２】同温度検出手段の検出値の変化を示す説明図であり、図１２(a)はケース本体が適正位置にあるときを示し、図１２(b)はケース本体が適正位置から９０°近くずれているときを示している。
【図１３】本発明の他の実施形態に係る調光用アダプタ装置を斜め前方から見た状態を示す斜視図である。
【図１４】図１４(a)は、同他の実施形態に係る調光用アダプタ装置の正面図を示し、図１４(b)は、その背面図を示している。
【図１５】図１５(a)は、同他の実施形態に係る同調光用アダプタ装置の側面図を示し、図１５(b)は、その側面断面図を示している。
【図１６】同他の実施形態に係る調光用アダプタ装置の反射板の組み付け構造を示す分解斜視図である。
【図１７】同他の実施形態に係る調光用アダプタ装置の口金部の組み付け構造を示す分解斜視図である。
【符号の説明】
【０１２７】
１，１′    調光用アダプタ装置
２          口金部
２１        回転体
２１ｃ      係合爪（爪部）
２２        口金本体（コールド側の金具）
２２ｂ      張出部（フランジ部）
２３        絶縁軸体
２３ａ      鞘管部
２３ｂ      鍔部
２４        導体ピン（ホット側の金具）
２４ａ      ピン頭部（頭部）
２４ｂ      ピン軸部（軸部）
３，３′    ソケット部
４，４′    ケース本体
４１        ソケット取付部
４４        凹凸歯部（凹凸部）
４５        貫通穴
４８        回転ストッパ
５          電装基板
５１        信号受信部
５２        電力制御部
５３        温度検出部
５４        制御部
５５        電源部
６          電装線
７，７′    反射板
８，８′    断熱材
Ｌ          白熱電球
Ｌｘ        ミニクリプトン電球
Ｔｈ１，Ｔｈ２  サーミスタ（温度検出手段）
【図１】
0004735960.tif 000002
【図２】
0004735960.tif 000003
【図３】
0004735960.tif 000004
【図４】
0004735960.tif 000005
【図５】
0004735960.tif 000006
【図６】
0004735960.tif 000007
【図７】
0004735960.tif 000008
【図８】
0004735960.tif 000009
【図９】
0004735960.tif 000010
【図１０】
0004735960.tif 000011
【図１１】
0004735960.tif 000012
【図１２】
0004735960.tif 000013
【図１３】
0004735960.tif 000014
【図１４】
0004735960.tif 000015
【図１５】
0004735960.tif 000016
【図１６】
0004735960.tif 000017
【図１７】
0004735960.tif 000018